(57)【要約】【課題】  本発明は、取付けおよび取外しが容易であるとともに、配線の接続が容易な仕分け表示装置を提供することを目的とする。【解決手段】  複数の仕分け表示器１２と、これら仕分け表示器１２を取付ける表示器レール１１を備え、表示器レール１１を、横断面形状において中空の４角筒状で、仕分け表示器１２の取付け側斜め上方に開口１６を有し、その正面側の略垂直な１面１８ａの内面に長手方向に渡って凸部１７を設けた長尺状取付け部材１８により構成し、各仕分け表示器１２を、正面に表示器１３が設けられた平板形状の表示器本体２０と、この表示器本体２０の側面外周および裏面を覆うとともに、裏面に突出されて、凸部１７に嵌合する凹部２２を有し、表示器レール１１の略垂直な１面１８ａに仕分け表示器１２を取付ける嵌合突起部２３を設けた表示器箱２１とから形成する。【選択図】      図２
2006076725.tif 000002
【特許請求の範囲】
【請求項１】
仕分け設備において、少なくとも仕分けする物品、仕分け位置、仕分けする物品の数量の一つを表示する複数の仕分け表示器と、これら仕分け表示器を取付ける表示器レールを備える仕分け表示装置であって、
前記表示器レールを、前記仕分け表示器を取付ける略垂直な１面を長手方向に渡って有する長尺状取付け部材により構成し、
前記各仕分け表示器を、少なくとも仕分けする物品、仕分け位置、仕分けする物品の数量の一つを表示する表示手段が表面に設けられた平板形状の表示器本体と、この表示器本体の側面外周および裏面を覆うとともに、前記表示器レールの略垂直な１面に仕分け表示器を取付ける取付部を設けた表示器箱とから形成し、
前記取付部の両側面に前記表示器本体に接続されるコネクタを設け、
前記長尺状取付け部材の略垂直な１面に前記表示器箱の取付部を取付けることにより、前記仕分け表示器を前記表示器レールに取付け、前記長尺状取付け部材内には、前記コネクタに接続される前記仕分け表示器用の配線が敷設され、前記表示器レールが前記仕分け表示器の配線受け手段を兼ねていること
を特徴とする仕分け表示装置。
【請求項２】
前記表示器箱の取付部の長手方向長さは、前記表示器本体の正面の長さの略半分に形成されていること
を特徴とする請求項１に記載の仕分け表示装置。
【請求項３】
前記仕分け表示器用の配線を、カール式ケーブルにより形成し、これらカール式ケーブルを、前記長尺状取付け部材内に収納すること
を特徴とする請求項１または請求項２に記載の仕分け表示装置。
【請求項４】
前記長尺状取付け部材の略垂直な１面の内面に、前記長手方向に渡って凸部を設け、
前記表示器箱の取付部に、前記長尺状取付け部材の略垂直な１面の凸部に嵌合する凹部を設けたこと
を特徴とする請求項１〜請求項３のいずれか１項に記載の仕分け表示装置。
【請求項５】
前記表示器箱を、前記表示器本体の側面および裏面への水滴の侵入を防止する密封構造とすること
を特徴とする請求項１〜請求項４のいずれか１項に記載の仕分け表示装置。
【発明の詳細な説明】
【技術分野】
【０００１】
本発明は、仕分け設備において棚や台車に取付けられ、少なくとも仕分けする物品、仕分け位置、仕分けする物品の数量の一つを表示する複数の仕分け表示器と、これら仕分け表示器を取付ける表示器レールを備える仕分け表示装置に関するものである。
【背景技術】
【０００２】
従来の仕分け表示装置のおいて、仕分け表示器を表示器レールから簡単に取付け、および取外しできる構成の一例が特許文献１に開示されている。
この文献には、仕分け表示器のケースに一対のくぼみを設け、これらくぼみに嵌め込むための対応する突起部を有する特異な断面形状のブラケット（表示器レール）を棚の固定フレームに取付け、このようなケースのくぼみとブラケットの突起部とをスナップ止めの如く嵌め込むことによって簡単に仕分け表示器が取付けられ、且つ取外しも簡単としている構成が開示されている。このように、簡単に機器が取付けられることによって多数の機器の取付け施工に時間がかからず、取外しも簡単なことによって機器の故障時の取換えも容易であり、作業効率が良いという効果を有している。またこの文献１には、ブラケットと機器のケースとの間の空隙を利用して電気的配線類（信号ラインと電源ライン）を設けることが開示されている。
【特許文献１】実公平２−２７６８２号公報
【発明の開示】
【発明が解決しようとする課題】
【０００３】
しかし、従来の仕分け表示器は、ブラケットへの取付け、および取外しが容易なことから、取付け位置の変更を容易に行うことはできるが、取付け位置の変更に伴う配線作業を簡単に行うことができず、作業効率が必ずしも改善されるとはいえなかった。
【０００４】
また構造上、各仕分け表示器に対する電気的配線類の接続が仕分け表示器の側面となることから、電気的配線類を接続する端子類や配線接続用治具を挿入するスペースにより、仕分け表示器を近付けて取付ける間隔に制限があり、あまりに接近すると接続が困難になるという問題が発生する。
【０００５】
さらに接続箇所が剥き出しになることから、水分の影響を受ける箇所に設置すると配線のショートや錆が発生する可能性があるという問題がある。
そこで、本発明は、取付けおよび取外しが容易であるとともに、配線の接続が容易であり、また取付け間隔に制限がない仕分け表示装置を提供することを目的としたものである。
【課題を解決するための手段】
【０００６】
前述した目的を達成するために、本発明のうち請求項１に記載の発明は、仕分け設備において、少なくとも仕分けする物品、仕分け位置、仕分けする物品の数量の一つを表示する複数の仕分け表示器と、これら仕分け表示器を取付ける表示器レールを備える仕分け表示装置であって、前記表示器レールを、前記仕分け表示器を取付ける略垂直な１面を長手方向に渡って有する長尺状取付け部材により構成し、前記各仕分け表示器を、少なくとも仕分けする物品、仕分け位置、仕分けする物品の数量の一つを表示する表示手段が表面に設けられた平板形状の表示器本体と、この表示器本体の側面外周および裏面を覆うとともに、前記表示器レールの略垂直な１面に仕分け表示器を取付ける取付部を設けた表示器箱とから形成し、前記取付部の両側面に前記表示器本体に接続されるコネクタを設け、前記長尺状取付け部材の略垂直な１面に前記表示器箱の取付部を取付けることにより、前記仕分け表示器を前記表示器レールに取付け、前記長尺状取付け部材内には、前記コネクタに接続される前記仕分け表示器用の配線が敷設され、前記表示器レールが前記仕分け表示器の配線受け手段を兼ねていることを特徴とするものである。
【０００７】
上記構成によれば、表示器箱の取付部を長尺状取付け部材の略垂直な１面に取付けることにより、簡単に仕分け表示器は表示器レールに取付けられ、また簡単に仕分け表示器は表示器レールから取外される。よって、仕分け表示器の取付位置の変更が容易に実行される。さらに表示器箱の取付部に設けたコネクタにより仕分け表示器間が接続されることにより配線が容易となり、作業効率が改善される。また仕分け表示器用の配線は長尺状取付け部材内に収納され、長尺状取付け部材は配線ダクト（配線受け手段）として使用される。
【０００８】
また請求項２に記載の発明は、請求項１に記載の発明であって、前記表示器箱の取付部の長手方向長さは、前記表示器本体の正面の長さの略半分に形成されていることを特徴とするものである。
【０００９】
上記構成によれば、表示器箱の取付部の長手方向長さは、表示器本体の正面の長さの略半分なことから、仕分け表示器を接触させて取付けても、仕分け表示器間の配線のスペースが確保される。
【００１０】
また請求項３に記載の発明は、請求項１または請求項２に記載の発明であって、前記仕分け表示器用の配線を、カール式ケーブルにより形成し、これらカール式ケーブルを、前記長尺状取付け部材内に収納することを特徴とするものである。
【００１１】
上記構成によれば、仕分け表示器用の配線がカール式ケーブルとされることにより、仕分け表示器間の位置が離れてもケーブルが伸びることで自在に対応され、新たなケーブルを用意する必要がなくなり、作業効率が改善される。
【００１２】
また請求項４に記載の発明は、請求項１〜請求項３のいずれか１項に記載の発明であって、前記長尺状取付け部材の略垂直な１面の内面に、前記長手方向に渡って凸部を設け、前記表示器箱の取付部に、前記長尺状取付け部材の略垂直な１面の凸部に嵌合する凹部を設けたことを特徴とするものである。
【００１３】
上記構成によれば、表示器箱の取付部の凹部を、長尺状取付け部材の凸部に嵌合させることにより、仕分け表示器は表示器レールに、しっかりと取付けられる。
また請求項５に記載の発明は、請求項１〜請求項４のいずれか１項に記載の発明であって、前記表示器本体の側面および裏面への水滴の侵入を防止する密封構造とすることを特徴とするものである。
【００１４】
上記構成によれば、表示器箱を密封構造とすることで、水滴の表示器箱内への侵入が防止され、表示器本体の配線のショートや錆の発生が防止される。
【発明の効果】
【００１５】
本発明の仕分け表示装置は、表示器箱の取付部を長尺状取付け部材の略垂直な１面に取付けることにより、簡単に仕分け表示器を長尺状取付け部材に取付けることができ、また簡単に仕分け表示器は長尺状取付け部材から取外すことができ、よって取付け位置を容易に変更でき、またコネクタにより仕分け表示器間が接続されることにより配線が容易となり、作業効率を改善できる、という効果を有している。
【発明を実施するための最良の形態】
【００１６】
以下、本発明の実施の形態を図面に基づいて説明する。
図１は本発明の実施の形態における仕分け表示装置を備えたピッキング棚の斜視図である。
【００１７】
ピッキング棚１は、流動棚から形成され、前方に傾斜している複数段（図では３段）のラック３を有し、各ラック３にはそれぞれ、物品４を収納した容器５を格納する複数の区画収納空間６が形成され、各区画収納空間６毎にローラコンベヤ７が設けられ、ローラコンベヤ７の前端にはストッパ８が設けられている。この構成により、ストッパ８により係止された容器５から必要な物品４を取り出し、容器５が空になればその容器５を除去することにより、次の容器５が前面にでてくる。またローラコンベヤ７は、各ラック３毎にローラピッチが変えてある。
【００１８】
またピッキング棚１のラック３毎に、その前面の水平フレームに表示器レール１１が敷設され、各区画収納空間６毎に、表示器レール１１上に仕分け表示器１２が移動自在に取付けられている。また仕分け表示器１２の表面には、少なくとも仕分けする物品、仕分け位置、仕分けする物品の数量の一つを表示する表示手段の一例として、ピックアップする物品４の数量を示す３桁のディジタル表示器１３と、ピッキングの有無を表示しピッキング作業終了時に操作する照光式押釦スイッチ１４が設けられている。
【００１９】
図２に示すように、表示器レール１１は、横断面形状において仕分け表示器１２の取付け側斜め上方に開口１６を有する中空の４角筒状に形成され、開口１６の下方位置に、仕分け表示器１２を取付ける略垂直な１面１８ａを長手方向に渡って有する長尺状取付け部材１８から構成されている。また長尺状取付け部材１８の略垂直な１面１８ａの内面に（正面側の平面部材裏面）長手方向に渡って凸部１７が設けられている。
【００２０】
また各仕分け表示器１２は、図３に示すように、正面に上記ディジタル表示器１３と照光式押釦スイッチ１４が設けられた四角で平板形状の表示器本体２０と、この表示器本体２０の側面外周を形成する上下面および両側面を覆い、さらに裏面を覆うとともに、図６に示すように、裏面側から突出して、表示器レール１１（長尺状取付け部材１８）の略垂直な１面１８ａに仕分け表示器１２を取付ける嵌合突起部（取付部の一例）２３を設けた表示器箱２１とから形成されている。また嵌合突起部２３は弾性を有しており、嵌合突起部２３に長尺状取付け部材１８の略垂直な１面の凸部１７に対して、長尺状取付け部材１８の内方から嵌合する凹部が設けられている。
【００２１】
また、前記嵌合突起部２３は、図３および図４に示すように、長手方向において表示器本体２０（あるいは表示器本体２０を覆う表示器箱２１）の正面寸法の略半分の寸法で、表示器箱２１の中央部に設けられており、この嵌合突起部２３の両側面にそれぞれ、表示器本体２０に接続された内部配線４１を介して２本のコネクタ２４に対して外部のカール式ケーブル３２（仕分け表示器用の配線の一例：図２，図５参照）を接続するための貫通孔２６が設けられ、これら貫通孔２６に対応してそれぞれ嵌合突起部２３の内部にコネクタ２４を受けて嵌め込む嵌込部２５が設けられている。また図５に示すように、カール式ケーブル３２の両端にはゴムキャップ３１Ａ付きコネクタ３１が取付けられており、貫通孔２６にはゴムキャップ３１Ａが嵌る窪み２６ａが設けられている。カール式ケーブル３２のコネクタ３１が仕分け表示器１２のコネクタ２４に接続される。またこのコネクタ２４と表示器本体２０との間の内部配線４１は、表示器箱２１および嵌合突起部２３内部の空間域に敷設される。
【００２２】
また嵌合突起部２３を設けた表示器箱２１は、図３および図４に示すように、左右に分離構成され、また表示器本体２０の前面には、上面、下面、両側面に渡って、すなわち全周に渡って凸部２７が設けられ、左右に分離された表示器箱２１にはこの凸部２７に嵌合する溝（凹部）２８が設けられ、また左右の対向する合わせ面には互いに嵌合する凹凸が設けられている。
【００２３】
この構成により、嵌合突起部２３の嵌込部２５にそれぞれコネクタ２４を嵌め込み、続いて表示器本体２０の凸部２７に対して左右より溝２８が嵌合するように左右に分離された表示器箱２１を合わせ、左右の対向する面の凹凸にシリコンを塗布して合わせることで組立てられ、表示器本体２０の側面および裏面への水滴の侵入を防止する密封構造とされる。またこれら左右に分離された表示器箱２１、および嵌込部２５とコネクタ２４は、タップネジ等で固定される。
【００２４】
以上のように構成された仕分け表示器１２は、表示器箱２１の裏面に設けた嵌合突起部２３が開口１６から長尺状取付け部材１８内へ挿入され、その弾性を利用して、長尺状取付け部材１８の１面１８ａに取付られ、長尺状取付け部材１８の１面１８ａの内方から表示器レール１１の凸部１７に凹部２２が嵌合することにより、図２および図６に示すように、仕分け表示器１２が表示器レール１１に係止される（取付けられ）、また図６に矢印で示すように、弾性を利用して嵌合突起部２３を開くことにより簡単に仕分け表示器１２は表示器レール１１から取外される。
【００２５】
また図２および図５に示すように、仕分け表示器１２（嵌合突起部２３）のコネクタ２４に結合されるゴムキャップ３１Ａ付きコネクタ３１が両端に取付けられたカール式ケーブル３２により、仕分け表示器１２間が接続されるようになっており、カール式ケーブル３２は、表示器レール１１内に収納される。カール式ケーブル３２は、図７に示すように、２本の信号ライン３４と２本の電源ライン３５より構成されている。
【００２６】
また図７に示すように、仕分け表示器１２はカール式ケーブル３２により直列に接続され、始端の仕分け表示器１２に表示コントローラ（高速インターフェイス）３６が接続されており、表示コントローラ３６よりカール式ケーブル３２の電源ライン３５を介して各仕分け表示器１２に電力が供給され、また信号ライン３４を介して信号の授受が行われる。各仕分け表示器１２の表示器本体２０には、２本のコネクタ２４および内部配線４１間を接続する配線（信号ラインと電源ライン）４２が設けられ、信号ライン３４に接続される入出力インターフェイス部４３を介して制御部４４により表示コントローラ３６との間で、各仕分け表示器１２毎に割り当てられた表示器ナンバーを付すことにより信号の授受・確認が行われ、ディジタル表示器１３への表示信号と照光式押釦スイッチ１４のランプの表示信号、スイッチの押し操作信号が受け渡しされる。
【００２７】
そして、仕分け表示器１２の照光式押釦スイッチ１４のランプ表示により、区画収納空間６におけるピッキング作業有りが表示され、またディジタル表示器１３へピッキングする物品４の数量が表示され、ピッキング作業者は走行経路ｉに沿って移動しながらこれら表示にしたがってピッキング作業を実行して、ピッキングした物品を、例えば、図１に示すカゴ車Ｋに投入し、物品４の投入が終了すると、照光式押釦スイッチ１４を押し操作して区画収納空間６におけるピッキング作業を終了する。
【００２８】
以上のように本実施の形態によれば、表示器箱２１の嵌合突起部２３を、表示器レール１１（長尺状取付け部材１８の１面１８ａ）に取付けることにより、仕分け表示器１２を表示器レール１１に簡単に取付けることができ、また嵌合突起部２３を開くことにより簡単に仕分け表示器１２を表示器レール１１から取外すことができ、設置位置の変更を簡単に行うことができる。また工具を使用せずに、表示器レール１１の中間からも、仕分け表示器１２の着脱を簡単に行うことができることから、仕分け表示器１２の取り換えを簡単に行うことができ、メンテナンスを簡単に行うことができる。また表示器箱２１は、簡単に製造でき、また部品点数が少ないことから組立てが容易であり、作業性に優れている。
【００２９】
また本実施の形態によれば、表示器箱２１の裏面に設けた嵌合突起部２３の凹部２２を、その弾性を利用して表示器レール１１（長尺状取付け部材１８の１面１８ａ）の凸部１７に嵌合させることにより、仕分け表示器１２を表示器レール１１にしっかりと取付けることができる。また弾性を利用して嵌合突起部２３を開くことにより簡単に仕分け表示器１２を表示器レール１１から取外すことができ、設置位置の変更を簡単に行うことができる。
【００３０】
また本実施の形態によれば、表示器箱２１の嵌合突起部２３に両側面にそれぞれ設けたコネクタ２４を介して仕分け表示器１２間を、コネクタ３１付きカール式ケーブル３２によりコネクタ接続とすることにより、配線を容易とすることができ、作業効率を向上させることができる。また表示器箱２１の嵌合突起部２３の長手方向長さは、表示器箱２１の正面の長さの略半分なことから、仕分け表示器１２を接触させて取付けても、仕分け表示器１２間の配線のスペースが確保され、カール式ケーブル３２を最も圧縮した状態で収納することが可能となり、２つの仕分け表示器１２を接触させた状態でも表示器レール１１に取付けることができる。このように、仕分け表示器１２を近付けて取付ける距離（間隔）の制限を無くすことができ、仕分け表示器１２の運用の幅を拡大でき、区画収納空間６が狭いとき、または小さな容器５が多く並ぶようなときでも対応できる。
【００３１】
また本実施の形態によれば、カール式ケーブル３２は表示器レール１１（長尺状取付け部材１８）内に収納され、表示器レール１１は配線ダクトとして使用されることにより、ケーブル３２が垂れたり、他の配線と接触することを避けることができる。
【００３２】
また本実施の形態によれば、カール式ケーブル３２を使用することにより、仕分け表示器１２間の位置が離れてもカール式ケーブル３２が伸びることで自在に対応でき、新たなケーブルを用意する必要なく、設置位置の変更を簡単に行うことができ、作業効率を改善することができる。
【００３３】
また本実施の形態によれば、表示器箱２１が表示器本体２０の側面および裏面への水滴の侵入を防止する密封構造とされることで、水滴の表示器箱２１内への侵入が防止され、表示器本体２０の配線のショートや錆の発生を防止することができる。
【００３４】
なお、本実施の形態では、表示器箱２１の裏面に設けた嵌合突起部２３の凹部２２を、その弾性を利用して表示器レール１１の凸部１７に嵌合させているが、弾性を利用せずに、図８に示すように、表示器箱２１の少なくとも一方の側面｛右側面または左側面（両面でもよい）｝に、表示器レール１１の凸部１７の裏側（表示器レール１１としては正面側）１７ａに接触して仕分け表示器１２を表示器レール１１に取付けるフック（ロック装置；取付部の一例）５１を設けるようにしてもよい。このフック５１は、平面視Ｌ型形状（勾玉状）の部材により形成され、フック５１のくびれ部が、表示器箱２１の少なくとも一方の側面に回転自在に支持されている。この構成により、図８（ｂ）に示すように、作業者によりフック５１が回動されることによってフック５１の凸部５１ａが表示器レール１１の凸部１７の裏側１７ａに接触することにより、仕分け表示器１２が表示器レール１１にロック状態（取り付け状態）とされ、図８（ａ）に示すように、作業者によりフック５１の接触が表示器レール１１の凸部１７の裏側１７ａより外されることにより、フリー状態（仕分け表示器１２を表示器レール１１から取り外すことができる状態）とされる。このように、フック５１を設けることにより、弾性を利用せずに確実に仕分け表示器１２を表示器レール１１に取付自在とすることができる。
【００３５】
また本実施の形態では、ピッキング棚１に仕分け表示装置を設置しているが、棚に限ることはなく、区切られた空間を有する台車等に設置することができる。
また本実施の形態では、表示手段の一例として、ピックアップする物品４の数量を示す３桁のディジタル表示器１３と、ピッキングの有無を表示しピッキング作業終了時に操作する照光式押釦スイッチ１４が設けられているが、これら表示器１３，１４に限ることはなく、少なくとも仕分けする物品、仕分け位置、仕分けする物品の数量の一つを表示できればよい。
【００３６】
また本実施の形態では、ピッキング棚１を流動棚としているが、必ずしも流動棚とすることはなく、単なる固定棚であってもよい。
また本実施の形態では、仕分け設備をピッキング設備としているが、アソート設備とすることも可能である。このとき、各区画収納空間６が、例えば、各店舗に対応して指定され、カゴ車Ｋに積載した物品４を仕分け表示器１２の表示にしたがって、各区画収納空間６の店舗別の容器５に仕分ける（投入する）。
【００３７】
また本実施の形態では、ピッキング棚１は片面に仕分け表示器１２を設けているが、ピッキング棚を対向させて形成し、両側の区画収納空間６からピッキング作業を実行するようにしてもよい、このとき両側の区画収納空間６にそれぞれ設けられた仕分け表示器１２の表示にしたがってピッキング作業を実行する。
【００３８】
また本実施の形態では、表示器本体２０を四角で平板形状としているが、このような形状に限ることはなく、たとえば、正面視、人間の目の形状の如く、上の円弧と下の円弧がつながったような形状であってもよい。このとき、嵌合突起部（取付部の一例）２３は、上の円弧と下の円弧の外周（側面外周の一例）を覆うように設けられる。
【図面の簡単な説明】
【００３９】
【図１】本発明の実施の形態における仕分け表示装置を備えたピッキング棚の斜視図である。
【図２】同仕分け表示装置の全体斜視図である。
【図３】同仕分け表示装置の仕分け表示器の分解斜視図である。
【図４】同仕分け表示装置の仕分け表示器の背面要部斜視図である。
【図５】同仕分け表示装置の仕分け表示器の背面接続図である。
【図６】同仕分け表示装置の仕分け表示器の表示器レールへの取付け状態を示す図である。
【図７】同仕分け表示装置の回路構成図である。
【図８】本発明の他の実施の形態における仕分け表示装置の斜視図および取付説明図である。
【符号の説明】
【００４０】
１    ピッキング棚
１１  表示器レール
１２  仕分け表示器
１３  ディジタル表示器
１７  凸部
１８  長尺支持部材
２０  表示器本体
２１  表示器箱
２２  凹部
２３  嵌合突起部
２４，３１  コネクタ
２７  凸部
２８  溝
３２  カール式ケーブル
５１  フック
【図１】
2006076725.tif 000003
【図２】
2006076725.tif 000004
【図３】
2006076725.tif 000005
【図４】
2006076725.tif 000006
【図５】
2006076725.tif 000007
【図６】
2006076725.tif 000008
【図７】
2006076725.tif 000009
【図８】
2006076725.tif 000010